(57)【特許請求の範囲】
【請求項１】
インストルメントパネル（１１）に設けた収納ボックス（１３）の開口部を開閉自在なリッド（１４）で覆い、前記リッド（１４）に設けた係止爪（２１ｂ）を前記収納ボックス（１３）に上下方向に設けた係止孔（１３ｆ）に係合させることで前記リッド（１４）を閉位置に保持する車両用グローブボックスであって、
前記リッド（１４）には、該リッド（１４）が閉位置にあるときに前記係止孔（１３ｆ）に挿入されるリブ（２０ｂ）が突設され、
前記リブ（２０ｂ）は、前記収納ボックス（１３）が前方に変形したときに、その変形に前記リッド（１４）を追従して変形させるように前記係止孔（１３ｆ）と干渉可能であることを特徴とする車両用グローブボックス。
【請求項２】
前記リッド（１４）に設けた操作レバー（２１）に前記係止爪（２１ｂ）を連結し、スプリング（２３）で前記操作レバー（２１）を前記係止爪（２１ｂ）が前記係止孔（１３ｆ）に係合する方向に付勢することを特徴とする、請求項１に記載の車両用グローブボックス。
【発明の詳細な説明】
【技術分野】
【０００１】
本発明は、インストルメントパネルに設けた収納ボックスの開口部を開閉自在なリッドで覆い、前記リッドに設けた係止爪を前記収納ボックスに設けた係止孔に係合させることで前記リッドを閉位置に保持する車両用グローブボックスに関する。
【背景技術】
【０００２】
グローブボックスのリッドに設けたフックをストライカに係合させて該リッドを閉位置にロックするグローブボックスのリッドロック装置において、ストライカのカバー部に受け孔を形成し、ストライカに係合したフックの先端を更にカバー部の受け孔に係合させることで、インストルメントパネルに衝撃が加わったときにフックがストライカから外れてリッドが解放するのを防止するものが、下記特許文献１により公知である。
【０００３】
またグローブボックスのリッドに設けたストライカ係合部材をストライカに係合させて該リッドを閉位置にロックするグローブボックス用リッドロック装置において、リッドの背面に形成されてストライカが嵌合する挿入口を、ストライカの左右両側に配置される一対の側部拘束壁と、それらの側部拘束壁の上端間を接続する上部拘束壁とで補強してリッドに対するストライカの相対位置が変化するのを阻止し、インストルメントパネルに衝撃が加わったときにストライカ係合部材がストライカから外れてリッドが解放するのを防止するものが、下記特許文献２により公知である。
【先行技術文献】
【特許文献】
【０００４】
【特許文献１】日本実開平７−２９２４５号公報
【特許文献１】日本特開２００１−９８８１７号公報
【発明の概要】
【発明が解決しようとする課題】
【０００５】
ところで上記特許文献１および特許文献２に記載された発明は、ストライカのカバー部やストライカの挿入口に大幅な設計変更を施す必要があるため、それがコストアップの要因となる問題があるだけでなく、金属製のストライカを持たず、ボックス側に形成した係止孔に係止爪を係合させてリッドをロックする車両用グローブボックスに適用するのが難しいという問題があった。
【０００６】
本発明は前述の事情に鑑みてなされたもので、インストルメントパネルに設けたグローブボックスのリッドが二次衝突の衝撃で開放するのを簡単な構造で防止することを目的とする。
【課題を解決するための手段】
【０００７】
上記目的を達成するために、本発明によれば、インストルメントパネルに設けた収納ボックスの開口部を開閉自在なリッドで覆い、前記リッドに設けた係止爪を前記収納ボックスに上下方向に設けた係止孔に係合させることで前記リッドを閉位置に保持する車両用グローブボックスであって、前記リッドには、該リッドが閉位置にあるときに前記係止孔に挿入されるリブが突設され、前記リブは、前記収納ボックスが前方に変形したときに、その変形に前記リッドを追従して変形させるように前記係止孔と干渉可能であることを第１の特徴とする車両用グローブボックスが提案される。
【０００８】
また本発明によれば、前記第１の特徴に加えて、前記リッドに設けた操作レバーに前記係止爪を連結し、スプリングで前記操作レバーを前記係止爪が前記係止孔に係合する方向に付勢することを第２の特徴とする車両用グローブボックスが提案される。
【０００９】
尚、実施の形態の捩じりばね２３は本発明のスプリングに対応する。
【発明の効果】
【００１０】
本発明の第１の特徴によれば、インストルメントパネルに設けた収納ボックスの開口部を開閉するリッドが閉位置にあるとき、リッドに設けた係止爪が収納ボックスに上下方向に設けた係止孔に係合する。車両の衝突時に乗員がインストルメントパネルに二次衝突して収納ボックスが前方に変形しても、収納ボックスの係止孔にリッドのリブが挿入されているため、リブが係止孔と干渉してリッドが収納ボックスと共に変形することで、リッドの係止爪と収納ボックスの係止孔との位置関係が変化しないようにし、係止爪が係止孔から外れてリッドが開放するのを防止することができる。既存のグローブボックスに対して、そのリッドにリブを追加するだけの簡単な構造であるため、低コストで実現可能である。
【００１１】
また本発明の第２の特徴によれば、リッドに設けた操作レバーに係止爪を連結し、スプリングで操作レバーを係止爪が係止孔に係合する方向に付勢するので、操作レバーをスプリングの弾発力に抗して操作することで、係止爪を係止孔から離脱してリッドを開放することができる。
【図面の簡単な説明】
【００１２】
【図１】図１は自動車のインストルメントパネルの正面図である。（第１の実施の形態）
【図２】図２はグローブボックスの斜視図である。（第１の実施の形態）
【図３】図３は図１の３−３線拡大断面図である。（第１の実施の形態）
【図４】図４は図３の４−４線断面図である。（第１の実施の形態）
【図５】図５は図４の５−５線断面図である。（第１の実施の形態）
【図６】図６はリッドのロック解除時の作用説明図である。（第１の実施の形態）
【図７】図７は二次衝突時の作用説明図である。（第１の実施の形態）
【符号の説明】
【００１３】
１１        インストルメントパネル
１３        収納ボックス
１３ｆ      係止孔
１４        リッド
２０ｂ      リブ
２１        操作レバー
２１ｂ      係止爪
２３        捩じりばね（スプリング）
【発明を実施するための形態】
【００１４】
以下、図１〜図７に基づいて本発明の実施の形態を説明する。
【第１の実施の形態】
【００１５】
図１に示すように、自動車のインストルメントパネル１１の車幅方向中央部に小物物品を収納する小型のグローブボックス１２が設けられる。グローブボックス１２は、インストルメントパネル１１の内部に配置される収納ボックス１３と、インストルメントパネル１１の上面の一部を構成して前記収納ボックス１３の上面開口を開閉するリッド１４とを一体に備えてユニット化されている。
【００１６】
図２〜図５に示すように、上面が開放した容器状の収納ボックス１３は複数の取付ブラケット１３ａ…を備えており、これらの取付ブラケット１３ａ…を貫通するボルト１５…で収納ボックス１３がインストルメントパネル１１に固定される。この状態で、インストルメントパネル１１に形成した開口１１ａにリッド１４が嵌合する。収納ボックス１３の底面には、物品の載置面を構成するトレー１６が固定される。
【００１７】
収納ボックス１３の左右の側壁１３ｂ，１３ｂの前端に連設したボス部１３ｃ，１３ｃにヒンジ軸１７，１７を介してヒンジアーム１８，１８の一端が枢支されており、ヒンジアーム１８，１８の他端は収納ボックス１３の上面開口のフランジ１３ｄに形成した貫通孔１３ｅ，１３ｅを貫通してリッド１４の前端下面に接続される。ヒンジアーム１８，１８は、ヒンジ軸１７，１７の周囲に設けた捩じりばね（不図示）により、リッド１４を開放する方向に付勢される。前記フランジ１３ｄの後縁には、左右一対の係止孔１３ｆ，１３ｆが上下方向に形成される。
【００１８】
リッド１４はアッパー部材１９およびロア部材２０を結合して構成されており、それらの後縁に形成した切欠き部１９ａ，２０ａ（図３参照）に操作レバー２１の操作部２１ａが露出する。操作レバー２１は、操作部２１ａの車幅方向外側に一対の係止爪２１ｂ，２１ｂを一体に備える。アッパー部材１９の下面には４個のブラケット１９ｂ，１９ｂ：１９ｃ，１９ｃが下向きに突設されており、車幅方向外側のブラケット１９ｂ，１９ｂに一対の係止爪２１ｂ，２１ｂが支軸ピン２２，２２を介して揺動可能に枢支される。また操作部２１ａの上面に上向きに突設したブラケット２１ｃ，２１ｃに、前記支軸ピン２２，２２の軸線上に位置する突起２１ｄ，２１ｄが設けられており、これらの突起２１ｄ，２１ｄがアッパー部材１９の車幅方向内側のブラケット１９ｃ，１９ｃに揺動自在に係合する（図４参照）。
【００１９】
操作レバー２１は、リッド１４のアッパー部材１９との間に設けた捩じりばね２３により、支軸ピン２２，２２まわりに下向きに付勢される。この捩じりばね２３の弾発力により、係止爪２１ｂ，２１ｂは図５の時計方向に付勢されて収納ボックス１３の係止孔１３ｆ，１３ｆに係合し、リッド１４は閉位置に保持される。
【００２０】
リッド１４を閉じるときには、リッド１４を閉位置に向けて押し下げるだけで、係止爪２１ｂ，２１ｂの傾斜面ａ，ａが係止孔１３ｆ，１３ｆのエッジｂ，ｂに案内されて図５の反時計方向に揺動することで、係止爪２１ｂ，２１ｂは自動的に係止孔１３ｆ，１３ｆに係合する。
【００２１】
また図３に示すように、リッド１４の操作レバー２１の操作部２１ａに指を掛け、捩じりばね２３の弾発力に抗して引き上げると、図６において係止爪２１ｂ，２１ｂが反時計方向に揺動して係止孔１３ｆ，１３ｆから離脱し、リッド１４を開位置に向けて開放することができる。
【００２２】
図２，図４および図５から明らかなように、リッド１４のロア部材２０には、一対の係止爪２１ｂ，２１ｂの車幅方向内側に隣接して一対の板状のリブ２０ｂ，２０ｂが突設される。リッド１４が閉位置にあるとき、ロア部材２０のリブ２０ｂ，２０ｂは収納ボックス１３の係止孔１３ｆ，１３ｆに挿入される。リッド１４が開閉動作するとき、リブ２０ｂ，２０ｂは係止孔１３ｆ，１３ｆに引っ掛からない形状になっている。
【００２３】
図７に示すように、自動車が正面衝突して車体に減速度が発生した結果、慣性で前進した乗員がインストルメントパネル１１に二次衝突すると、その衝撃でインストルメントパネル１１と共に収納ボックス１３が前方に変形する。このとき、収納ボックス１３だけが前方に変形してリッド１４が変形しないと、リッド１４と一体の係止爪２１ｂ，２１ｂを取り残して収納ボックス１３の係止孔１３ｆ，１３ｆが前方に移動することで、係止爪２１ｂ，２１ｂが係止孔１３ｆ，１３ｆから離脱してリッド１４が開放してしまい、乗員と干渉する可能性がある。
【００２４】
しかしながら本実施の形態によれば、収納ボックス１３が前方に変形したとき、上下方向に設けた係止孔１３ｆ，１３ｆとリブ２０ｂ，２０ｂとが干渉することで、係止孔１３ｆ，１３ｆにリブ２０ｂ，２０ｂを挿入したリッド１４も収納ボックス１３の変形に追従して前方に変形するため、リッド１４に設けた係止爪２１ｂ，２１ｂおよび収納ボックス１３に設けた係止孔１３ｆ，１３ｆの位置関係が一定に保たれる。これにより、係止爪２１ｂ，２１ｂが係止孔１３ｆ，１３ｆから離脱するのを阻止し、リッド１４の望ましくない開放を確実に防止することができる。
【００２５】
しかも、既存のグローブボックス１２に対して、そのリッド１４に一対のリブ２０ｂ，２０ｂを追加するだけの簡単な構造であるため、低コストで実現可能である。
【００２６】
以上、本発明の実施の形態を説明したが、本発明はその要旨を逸脱しない範囲で種々の設計変更を行うことが可能である。
【００２７】
例えば、実施の形態では収納ボックス１３をインストルメントパネル１１と別部材で構成しているが、収納ボックス１３をインストルメントパネル１１と一体に形成することができる。
【００２８】
また実施の形態のリッド１４は上向きに開放するようになっているが、下向きに開放するものであっても良い。
【図１】
0005437374.tif 000002
【図２】
0005437374.tif 000003
【図３】
0005437374.tif 000004
【図４】
0005437374.tif 000005
【図５】
0005437374.tif 000006
【図６】
0005437374.tif 000007
【図７】
0005437374.tif 000008